(57)【特許請求の範囲】
【請求項１】
火災時に消火用水を放水対象空間に放水する水噴霧ヘッドに於いて、
ヘッド本体のノズル取付部に装着し、前方にホルダ開口を形成すると共に内部にシリンダ穴を形成したノズルホルダと、
前記ノズルホルダのシリンダ穴に摺動自在に設け、前記ヘッド本体から消火用水の供給がない場合にリターンスプリングにより前記ノズルホルダ内の初期位置に保持し、前記ヘッド本体から消火用水の供給を受けた場合に前記リターンスプリングに抗して前進して前記ホルダ開口から先端を前方に突出するノズルと、
前記ノズルの初期位置で前記ノズルホルダのホルダ開口を閉鎖し、前記ヘッド本体から消火用水を受けた前記ノズルの前進により前記ホルダ開口を押し開いて前記ノズルの突出を許容するホルダ開口開閉機構と、
を備え、
前記ノズルホルダのシリンダ穴の軸方向にガイド溝を形成すると共に、前記ノズルの外周に前記ガイド溝に嵌合して軸回りの動きを規制するガイド突起を設けたことを特徴とする水噴霧ヘッド。
【発明の詳細な説明】
【技術分野】
【０００１】
本発明は、火災時に消火用水をトンネル内の散水対象空間に散水する水噴霧ヘッドに関する。
【背景技術】
【０００２】
従来、自動車専用道路等のトンネルには、トンネル内で発生する火災事故から人身及び車両を守るため、非常用設備が設置されている。このような非常用設備としては、火災の監視と通報のため火災検知器や非常電話が設けられ、また火災の消火や延焼防止のために消火栓装置が設けられ、更にトンネル躯体を火災から防護するために水噴霧ヘッドから加圧消火用水を散水させる水噴霧設備が設けられる。
【０００３】
水噴霧設備は５０メートル間隔の散水区画単位に１台の自動弁装置が設置され、５メートル間隔に配置した複数の水噴霧ヘッドに対し自動弁装置から加圧消火用水を供給して一斉に散水させる。
【０００４】
水噴霧ヘッドは、トンネルの様な大きな散水対象空間に対し均等に散水するため、ヘッド本体に対し散水距離及び散水パターンの異なる複数のノズル、例えば超遠投ノズル、遠投ノズル及び近投ノズルを配置し、これらのノズルの散水パターンの組合せにより、トンネル内の散水対象空間に対し消火用水を略均一に散水するようにしている。
【０００５】
図１０は従来の水噴霧ヘッドの一例を示した説明図である。図１０に示すように、水噴霧ヘッドは、ヘッド本体１００の下部に配管接続口１０１を形成し、ヘッド本体１００の下部には斜め下向きに近投ノズル１０２を取り付け、その上には斜め上向きに遠投ノズル１０４を取り付け、更に、上部に横向きに超遠投ノズル１０６を取り付けている。
【０００６】
近投ノズル１０２、遠投ノズル１０４及び超遠投ノズル１０６の先端には想像線で示すようにキャップ１０８ａ，１０８ｂ，１０８ｃを装着ししてノズル開口に対する汚れの付着を防止しており、また、近投ノズル１０２、遠投ノズル１０４及び超遠投ノズル１０６はバンド部１１０ａ，１１０ｂ，１１０ｃを介してヘッド本体１００側に脱落しないように固定している。
【０００７】
このように近投ノズル１０２、遠投ノズル１０４及び超遠投ノズル１０６の先端に装着したキャップ１０８ａ，１０８ｂ，１０８ｃは、ヘッド本体１００に消火用水を供給した場合の各ヘッドからの散水により外れ開き、バンド部１１０ａ，１１０ｂ，１１０ｃにより飛ばされずにヘッド本体１００側に残っており、放水を停止した後に、高所作業により外れたキャップ１０８ａ，１０８ｂ，１０８ｃを近投ノズル１０２、遠投ノズル１０４及び超遠投ノズル１０６に嵌め戻すようにしている。
【先行技術文献】
【特許文献】
【０００８】
【特許文献１】特開２００２−３５５３２４号公報
【特許文献２】特開２０１２−１０５８５３号公報
【発明の概要】
【発明が解決しようとする課題】
【０００９】
しかしながら、このようなノズル先端にキャップを設けてバンド部により脱落しないようにした水噴霧ヘッドにあっては、放水を停止した場合に、放水により外れたキャップを高所作業によりノズルに嵌め戻す作業を必要とし、この作業は、トンネル内の通行車両に対し車線規制を行った状態で、高所作業車を使用してキャップを嵌め戻す作業を必要とし、トンネル交通量を制約すると共に復旧作業に手間と時間がかかる問題がある。
【００１０】
本発明は、放水停止に伴うキャップ嵌め戻し等の復旧作業を必要とすることなくノズル開口を閉鎖して汚れの付着を防止可能とする水噴霧ヘッドを提供することを目的とする。
【課題を解決するための手段】
【００１１】
（水噴霧ヘッド）
本発明は、火災時に消火用水をトンネル内の放水対象空間に放水する水噴霧ヘッドに於いて、
ヘッド本体のノズル取付部に装着し、前方にホルダ開口を形成すると共に内部にシリンダ穴を形成したノズルホルダと、
ノズルホルダのシリンダ穴に摺動自在に設け、ヘッド本体から消火用水の供給がない場合にリターンスプリングによりノズルホルダ内の初期位置に保持し、ヘッド本体から消火用水の供給を受けた場合に前記リターンスプリングに抗して前進してホルダ開口から先端を前方に突出するノズルと、
ノズルの初期位置でノズルホルダのホルダ開口を閉鎖し、ヘッド本体から消火用水を受けたノズルの前進によりホルダ開口を押し開いてノズルの突出を許容するホルダ開口開閉機構と、
を設けたことを特徴とする。
【００１２】
（カバープレートを設けたホルダ開口開閉機構）
ホルダ開口開閉機構は、
ホルダ開口の端面にピン部材により開閉自在に設けたカバープレートと、
カバープレートを、前記ホルダ開口を閉鎖する方向に付勢するスプリングと、
を備える。
【００１３】
（カバープレートの球状凹陥部）
カバープレートは、ノズル開口の開口穴に相対した位置に、内側に屈曲してノズル開口の開口穴に嵌合する球状凹陥部を設ける。
【００１４】
（ゴムベロを設けたホルダ開口開閉機構）
ホルダ開口開閉機構は、ホルダ開口の端面に中心から外周方向に放射状の切込みを入れたゴムベロを設ける。
【００１５】
（放水圧力によるノズル前進移動量）
ノズルは、初期位置でノズル先端をカバープレート又はゴムベロから所定間隔だけ後退した離れた位置に保持し、ヘッド本体から所定の放水圧力の供給を受けた場合に、ノズルからの放水を妨げない位置に前進してカバープレート又はゴムベロを開くようにノズルの前進移動量を設定する。
【００１６】
（予告放水）
ヘッド本体から放水圧力より低い所定の予告放水圧力の供給を受けた場合に、ノズルを前進位置以外の位置に保持したまま予告放水圧力によりカバープレート又はゴムベロを開いて予告放水するように設定する。
【００１７】
（ノズル回り止め）
ノズルホルダのシリンダ穴の軸方向にガイド溝を形成すると共に、ノズルの外周にガイド溝に嵌合して軸回りの動きを規制するガイド突起を設ける。
【００１８】
（複数ノズル）
ヘッド本体に複数のノズル取付部を設けると共に、複数のノズル取付部に、放水距離の異なるノズルを摺動自在に収納すると共にホルダ開口開閉機構を備えたノズルホルダを装着する。
【００１９】
（ノズルの種類）
ヘッド本体に装着した複数のノズルホルダに、近投ノズル、遠投ノズル及び超遠投ノズルを摺動自在に収納する。
【発明の効果】
【００２０】
（基本的な効果）
本発明は、火災時に消火用水をトンネル内の放水対象空間に放水する水噴霧ヘッドに於いて、ヘッド本体のノズル取付部に装着し、前方にホルダ開口を形成すると共に内部にシリンダ穴を形成したノズルホルダと、ノズルホルダのシリンダ穴に摺動自在に設け、ヘッド本体から消火用水の供給がない場合にリターンスプリングによりノズルホルダ内の初期位置に保持し、ヘッド本体から消火用水の供給を受けた場合にリターンスプリングに抗して前進してホルダ開口から先端を前方に突出するノズルと、ノズルの初期位置でノズルホルダのホルダ開口を閉鎖し、ヘッド本体から消火用水を受けたノズルの前進によりホルダ開口を押し開いてノズルの突出を許容するホルダ開口開閉機構とを設けるようにしたため、放水を開始するとノズルホルダ内に収納しているノズルが押し出され、ホルダ開口を押し開いて突出して散水を開始し、その後、消火用水の供給を停止するとノズルがノズルホルダ内に戻ってホルダ開口を閉鎖し、従来のように散水で外れたキャップを嵌め戻すような復旧作業が不要となり、復旧作業に伴うトンネル内の通行規制も必要なくなる。
【００２１】
また、ウォータハンマによる高圧が瞬時的に加わった場合、リターンスプリングを圧縮してノズルがストロークすることで、ノズル内の容積を増大し、ウォータハンマにより加わる圧力を抑制し、ノズル構成部品等の破損を防止可能とする。
【００２２】
（カバープレートを設けたホルダ開口開閉機構による効果）
また、ホルダ開口開閉機構は、ホルダ開口の端面にピン部材により開閉自在に設けたカバープレートと、カバープレートを、前記ホルダ開口を閉鎖する方向に付勢するスプリングとを備えるようにしたため、カバープレートの閉鎖状態ではノズルホルダに収納したノズルの汚れを確実に防止し、消火用水を供給するとノズルの前進移動で確実にカバープレートを押し開いて散水を開始し、消火用水の供給を停止するとノズルのノズルホルダ内への後退によりカバープレートを自動的に閉じて自動復旧することを可能とする。
【００２３】
（カバープレートの球状凹陥部による効果）
また、カバープレートは、ノズル開口の開口穴に相対した位置に、内側に屈曲してノズル開口の開口穴に嵌着する球状凹陥部を設けるようにしたため、ノズル開口にカバープレートに形成した球状凹陥部が嵌り込んで、ノズル開口を確実に閉鎖可能とし、また、消火用水の供給によるノズルの前進に対しノズル先端でカバープレートの球状凹陥部を押すことで、フラットとしたカバープレートに比べ、ノズルの前進に対するカバープレートの開方向への回動量を大きくでき、カバープレートをノズルからの散水を妨げることのない位置に確実に開くことを可能とする。
【００２４】
（ゴムベロを設けたホルダ開口開閉機構による効果）
また、ホルダ開口開閉機構は、ホルダ開口の端面に中心から外周方向に放射状の切込みを入れたゴムベロを設けるようにしたため、ゴムベロの閉鎖状態ではノズルホルダに収納したノズルの汚れを確実に防止し、消火用水を供給するとノズルの前進移動で確実にゴムベロを押し開いて散水を開始し、消火用水の供給を停止するとノズルのノズルホルダ内への後退によりゴムベロを自動的に閉じて自動復旧することを可能とする。
【００２５】
（放水圧力によるノズル前進移動量の効果）
また、ノズルは、初期位置でノズル先端をカバープレート又はゴムベロから所定間隔だけ後退して離れた位置に保持し、ヘッド本体から所定の放水圧力の供給を受けた場合に、ノズルからの放水を妨げない位置に前進してカバープレート又はゴムベロを開くようにノズルの前進移動量を設定するようにしたため、ホルダ開口部をカバープレート又はゴムベロで閉鎖したノズルホルダ内にノズルを収納していても、所定の放水圧力による消火用水が供給されると、ノズルの前進によりカバープレート又はゴムベロは散水を妨げることない位置に開き、ノズルから放水圧力に見合った散水を確実に行うことを可能とする。
【００２６】
（予告放水圧力によるノズル前進移動量の効果）
また、ヘッド本体から放水圧力より低い所定の予告放水圧力の供給を受けた場合に、ノズルを前進位置以外の位置に保持したまま予告放水圧力によりカバープレート又はゴムベロを開いて予告放水するように設定するようにしため、圧力の低い予告放水のための消火用水の供給に対しノズルホルダは初期位置に保持されて殆ど動くことがなく、予告放水圧力となる消火用水によりカバープレート又はゴムベロを少し開き、カバープレート又はゴムベロの開き具合で限られた量の消火用水を放水対象空間に散水し、トンネル内の視界を妨げることのなく本格放水の開始を予告する予告放水を可能とする。
【００２７】
（ノズル回り止めの効果）
また、ノズルホルダのシリンダ穴の軸方向にガイド溝を形成すると共に、ノズルの外周にガイド溝に嵌合して軸回りの動きを規制するガイド突起を設けるようにしたため、ノズルによっては軸回りの散水に方向性をもたせている場合があり、このように方向性をもつノズルにつき、消火用水の供給によりノズルを回転することなくノズルホルダからカバープレートを押し開いて突出することで方向性をもつ散水を可能とする。
【００２８】
（複数ノズルによる効果）
また、ヘッド本体に複数のノズル取付部を設けると共に、複数のノズル取付部に、放水距離の異なるノズルを摺動自在に収納すると共にホルダ開口開閉機構を備えたノズルホルダを装着し、ヘッド本体に装着した複数のノズルホルダに、近投ノズル、遠投ノズル及び超遠投ノズルを摺動自在に収納するようにしたため、ヘッド本体に設けている複数のノズルにつき、消火用水の供給によりノズルホルダ内に収納しているノズルを押し出して、ホルダ開口を押し開いて突出することにより散水を開始し、その後、消火用水の供給を停止するとノズルがノズルホルダ内に戻ってホルダ開口を自動的に閉鎖し、従来のように散水で外れたキャップを嵌め戻す復旧作業が不要となり、復旧作業に伴うトンネル内の通行規制も必要なくなる。
【図面の簡単な説明】
【００２９】
【図１】トンネル水噴霧設備の設置状態をトンネル断面で示した説明図
【図２】本発明による水噴霧ヘッドの実施形態を示した説明図
【図３】近投ノズルユニットの構造を示した断面図
【図４】消火用水を供給した場合の近投ヘッドユニットの散水動作を示した説明図
【図５】近投ノズルユニットの予告放水による動作を示した説明図
【図６】ノズルの回転を規制する遠投ノズルユニットの構造を示した説明図
【図７】カバープレートとしてゴムベロを設けた近投ノズルユニットの他の実施形態を示した断面図
【図８】図７の近投ノズルユニットの予告放水による動作を示した説明図
【図９】消火用水を供給した場合の図７の近投ノズルユニットの散水動作を示した説明図
【図１０】従来の水噴霧ヘッドの一例を示した説明図
【発明を実施するための形態】
【００３０】
［トンネル水噴霧設備の概要］
図１はトンネル水噴霧設備の設置状態をトンネル断面で示した説明図である。図１に示すように、トンネル壁面１０の上部に対してはコンクリート躯体内を通して水噴霧配管１６を立ち上げており、トンネル壁面１０から突出した部分に水噴霧ヘッド１８を設けている。
【００３１】
水噴霧配管１６は給水本管１２に分岐接続しており、途中に自動弁装置１４を設けている。自動弁装置１４はトンネル内の火災時に遠隔制御により開制御され、給水本管１２に消火ポンプから加圧給水された消火用水を、水噴霧配管１６を通して水噴霧ヘッド１８に供給し、水噴霧ヘッド１８からトンネル路面１１及びトンネル壁面１０を含む放水対象空間に消火用水を放水して、トンネル躯体の防護及び火災の抑制を行う。
【００３２】
［水噴霧ヘッドの構成］
（水噴霧ヘッドの概要）
図２は本発明による水噴霧ヘッドの実施形態を示した説明図である。図２に示すように、本実施形態の水噴霧ヘッド１８は、ヘッド本体２０を有し、ヘッド本体２０の下部に配管接続口２１を形成し、ヘッド本体２０の下部には斜め下向きに近投ノズル取付部２２ａを生成し、そこに近投ノズルユニット２４を取り付けている。また、ヘッド本体２０の下部には斜め上向きに遠投ノズル取付部２２ｂを形成し、そこに遠投ノズルユニット２５を取り付けている。更に、ヘッド本体２０の上部に横向きに超遠投ノズル取付部２２ｃを形成し、そこに超遠投ノズルユニット２６を取り付けている。
【００３３】
近投ノズルユニット２４、遠投ノズルユニット２５及び超遠投ノズルユニット２６は、それぞれの開口側に開閉自在なカバープレート４６を設け、ノズルユニットの開口側を閉鎖している。
【００３４】
（近投ノズルユニットの構成）
図３は近投ヘッドユニットの構造を示した断面図であり、図３（Ａ）に軸方向の断面を示し、図３（Ｂ）に開口側の端面を示す。
【００３５】
図３に示すように、近投ノズルユニット２４は、ヘッド本体の近投ノズル取付部２２ａにねじ込み固定しており、取付ホルダ２８、ノズルホルダ３０、リターンスプリング３５、近投ノズル３８、シールリング４２、カバープレート４６を備えたホルダ開口開閉機構４４で構成している。
【００３６】
取付ホルダ２８は左側の取付けねじ部により近投ノズル取付部２２ａにねじ込み固定して内部に流入路を形成し、右側にノズルホルダ３０をねじ込み固定している。
【００３７】
ノズルホルダ３０は内部にシリンダ穴３２を形成し、シリンダ穴３２内に近投ノズル３８を摺動自在に収納している。シリンダ穴３２の右側の環状溝にはシールリング４２を配置し、シールリング４２に近投ノズル３８を通してシリンダ穴３２側をシールしている。また、近投ノズル３８の左側端部には鍔部４０を一体に形成し、鍔部４０とシリンダ穴３２の右側端部との間にリターンスプリング３５を配置し、近投ノズル３８を左側に付勢し、近投ノズル３８をノズル先端がカバープレート４６から所定間隔離れて後退した位置となる図示の初期位置に保持している。
【００３８】
ノズルホルダ３０の右側のホルダ開口面３６にはホルダ開口３４を形成し、ホルダ開口３４を通して近投ノズル３８を前方に移動可能としている。ホルダ開口面３６には、ホルダ開口開閉機構４４として、端面にビス５４で円弧状の固定プレート５２を固定し、固定プレート５２に固定ピン４８によりカバープレート４６を回動自在に設けている。また固定ピン４８にはコイルスプリング５０を設けており、スプリング端５０ａをカバープレート４６の外側に当接し、反対側のスプリング端５０ｂを固定プレート５２側に当接しており、これによりカバープレート４６を閉鎖方向に付勢している。
【００３９】
カバープレート４６は円盤状の板部材であるが、ノズル開口３８ａに相対した中央部分を内側に球状に押し込んだ球状凹陥部４６ａを形成しており、球状凹陥部４６ａに合せてノズル開口３８ａを球状に刳り貫き、ノズル開口３８ａに球状凹陥部４６ａが入るようにしてカバープレート４６でホルダ開口３４を閉鎖している。
【００４０】
（近投ノズルユニットの散水動作）
図４は消火用水を供給した場合の近投ノズルユニットの散水動作を示した説明図である。
【００４１】
近投ノズルユニット２４は、消火用水の供給のない通常状態では、図３（Ａ）に示すように、リターンスプリング３５の力により近投ノズル３８をノズルホルダ３０内に収納した初期位置に保持しており、このときカバープレート４６はコイルスプリング５０の力によりホルダ開口３４及びノズル開口３８ａを閉鎖する位置に閉じており、内部に収納した近投ノズル３８のノズル開口３８ａの汚れを防いでいる。
【００４２】
トンネル内での車両事故により火災が発生した場合、監視センタからの制御による消火ポンプの起動及び自動弁装置の自動弁開制御によりヘッド本体に所定の放水圧力となる消火用水が供給される。この消火用水の供給を受けた近投ノズルユニット２４は、シリンダ穴３２に消火用水が流入することで、近投ノズル３８が水圧による力を受け、図４に示すように、リターンスプリング３５を圧縮しながら右方向（前方）に移動し、近投ノズル３８はカバープレート４６を押し開きながら前進してホルダ開口３４から突出し、この状態でノズル開口３８ａからトンネル内の放水対象空間に消火用水を散水する。
【００４３】
また、カバープレート４６は近投ノズル３８を通った消火用水が直接当たって開放方向に動き、これと近投ノズル３８の前進移動とにより図４の開放した散水状態となる。
【００４４】
このとき開放したカバープレート４６は、前進した近投ノズル３８の外周面に球状凹陥部４６ａが当たって開かれた状態となり、近投ノズル３８のノズル開口３８ａからの散水を妨げることのない大きく開いた位置に開放保持する。
【００４５】
また、カバープレート４６に球状凹陥部４６ａを設けたことで、ノズル先端で球状凹陥部４６ａを押し開くこととなり、近投ノズル３８の前進移動に対しカバープレート４６を開き度合を大きくすることができる。
【００４６】
また、水噴霧ヘッドからの放水には、予告放水と本格放水があり、本格放水圧力に対し予告放水圧力は、放水量を抑えるためにそれより低い放水圧力としている。図４の近投ノズルユニット２４の放水動作は、本格放水のための所定の放水圧力の消火用水を供給した場合であり、この場合、近投ノズル３８からの放水を妨げない位置にカバープレート４６を開く近投ノズル３８の所定の前進移動量Ｌとなるように、シリンダ穴３２の長さ、近投ノズル３８の受圧面積、リターンスプリング３５のスプリング荷重等を設定している。
【００４７】
また、図１に示した水噴霧設備にあっては、自動弁装置１４を開制御した場合、自動弁装置１４の１次側に接続している水噴霧配管１６に空気が残っていること等に起因して、自動弁装置１４に設けた主弁の急激な開放によってウォーターハンマーとして知られた水撃作用を発生する場合があり、トンネル側壁天井となる高い位置に設置している水噴霧ヘッド１８に設けているノズルが破損する場合がある。
【００４８】
本実施形態の近投ノズルユニット２４は、ウォータハンマによる高圧が瞬時的に加わった場合、リターンスプリング３５を圧縮して近投ノズル３８がストロークすることで、近投ノズル３８内の容積を増大し、これによりウォータハンマにより加わる圧力上昇を抑制してノズル構成部品等の破損を防止可能とする。
【００４９】
（近投ノズルユニットの予告放水動作）
図５は近投ノズルユニットの予告放水による動作を示した説明図である。予告放水は、本格放水に先立って少ない量の放水を行ってトンネル内を通行している車両の運転者に本格放水の開始を予告するものであり、本格放水の放水圧力に対しそれより低い圧力で消火用水を供給する。
【００５０】
このように水噴霧ヘッドに予告放水のための消火用水の供給が行われた場合、近投ノズル３８はリターンスプリング３５の力により初期位置に保持されており、また、近投ノズル３８が動いたとしてもカバープレート４６に当ることのない僅かな動きであり、カバープレート４６が消火用水の圧力を受けて僅かに開いた半開き状態となり、トンネル内の視界を妨げることなく僅かな量の散水により本格放水の開始を予告する予告放水を可能とする。
【００５１】
（方向性をもつノズルの実施形態）
図６はノズルの回転を規制する遠投ノズルユニットの構造を示した説明図であり、図６（Ａ）に軸方向の断面を示し、図６（Ｂ）に放水側の端面を示す。
【００５２】
図６に示す遠投ノズルユニット２５のノズルホルダ３０内に収納している遠投ノズル７０は、ノズル側方にノズル開口７２を形成しており、消火用水を供給した場合の遠投ノズル７０の前進移動に対し、軸回りに動かないように散水方向を所定の方向に規制する必要がある。
【００５３】
そこで、遠投ノズルユニット２５は、ノズルホルダ３０に設けたシリンダ穴３２の軸方向にガイド溝６０を形成し、これに対応して遠投ノズル７０の左側の鍔部４０にガイド突起６２を形成して、ガイド溝６０に摺動自在に嵌合している。また遠投ノズル７０の先端にはカバープレート４６の球状凹陥部４６ａが入る球状凹部７４を形成している。それ以外の構造は図３の実施形態と同じであることから、同一符号を付して説明は省略する。
【００５４】
遠投ノズルユニット２５は、消火用水の供給を受けると、ノズルホルダ３０のシリンダ穴３２に沿って遠投ノズル７０が前進移動してノズル先端によりカバープレート４６を押し開いて突出することで散水するが、このときガイド溝６０に沿って遠投ノズル７０のガイド突起６２が移動することで、遠投ノズル７０の軸回りの回転を規制し、遠投ノズル７０の方向性を確保した散水を可能とする。
【００５５】
（超遠投ノズルユニット）
図３乃至図５は近投ヘッドユニット２４を例にとり、また図６は遠投ノズルユニット２５を例にとっているが、図２に示した超遠投ノズルユニット２６は、ノズルホルダに収納する超遠投ノズルが各々固有の構造をとる点で相違し、超遠投ノズルに方向性がない場合は図３乃至図５に示した近投ノズルユニット２４の場合とノズル構造を除き基本的に同じになり、また、超遠投ノズルに方向性がある場合は、図６に示した遠投ノズルユニット２５の場合とノズル構造を除いて基本的に同じになる。
【００５６】
［ノズルユニットの他の実施形態］
図７は近投ノズルユニットの他の実施形態を示した断面図であり、図７（Ａ）に軸方向の断面（図７（Ｂ）のＡ−Ａ断面）を示し、図７（Ｂ）に開口側の端面を示す。
【００５７】
図７に示すように、近投ノズルユニット２４は、ヘッド本体の近投ノズル取付部２２ａにねじ込み固定しており、取付ホルダ２８、ノズルホルダ３０、リターンスプリング３５、近投ノズル３８及びシールリング４２で構成しており、この点は図３の実施形態と同じになることから、同一符号を付して説明を省略する。
【００５８】
本実施形態は、ホルダ開口開閉機構４４としてゴムベロ８０を設けたことを特徴とする。ゴムベロ８０は円形のゴムプレートであり、中心から外周方向に放射状に複数本の切込８２を入れており、ノズルホルダ３０の開口端にリングプレート８４により挟み込むようにビス８６で取付け固定している。
【００５９】
図８は図７の近投ノズルユニットによる予告放水を示した説明図である。水噴霧ヘッドに予告放水のための消火用水の供給が行われた場合、図８に示すように、近投ノズル３８はリターンスプリング３５の力により初期位置に保持されており、また、近投ノズル３８が動いたとしてもゴムベロ８０に当ることのない僅かな動きであり、ゴムベロ８０が消火用水の圧力を受けて切込８２の入った部分を僅かに押し開いた半開き状態となり、トンネル内の視界を妨げることなく僅かな量の散水により本格放水の開始を予告する予告放水を可能とする。
【００６０】
図９は図７の近投ノズルユニットに消火用水を供給した場合の散水動作を示した説明図である。トンネル内での火災発生に伴い消火ポンプによりヘッド本体に本格放水のための所定の放水圧力となる消火用水が供給されと、近投ノズル３８が水圧による力を受けてリターンスプリング３５を圧縮しながら右方向（前方）に移動し、近投ノズル３８はゴムベロ８０を押し開きながら前進してホルダ開口３４から突出し、ノズル開口３８ａからトンネル内の放水対象空間に消火用水を散水する本格放水を行う。
【００６１】
このようにカバープレートしてゴムベロを設けた近投ノズルユニット２４のホルダ開口開閉機構は、図２に示した遠投ノズルユニット２５及び超遠投ノズルユニット２６について同様に適用できる。
【００６２】
［本発明の変形例］
上記の実施形態は、トンネル水噴霧設備に使用する水噴霧ヘッドを例にとるものであったが、それ以外の用途に使用するノズル開口を閉鎖する必要のある水噴霧ヘッドについて、同様に適用できる。
【００６３】
また、本発明はその目的と利点を損なうことのない適宜の変形を含み、更に上記の実施形態に示した数値による限定は受けない。
【符号の説明】
【００６４】
１０：トンネル壁面
１８：水噴霧ヘッド
２０：ヘッド本体
２４：近投ノズルユニット
２５：遠投ノズルユニット
２６：超遠投ノズルユニット
２８：取付ホルダ
３０：ノズルホルダ
３２：シリンダ穴
３４：ホルダ開口
３５：リターンスプリング
３６：ホルダ開口面
３８：近投ノズル
４０：鍔部
４２：シールリング
４４：ホルダ開口開閉機構
４６：カバープレート
４８：固定ピン
５０：コイルスプリング
５２：固定プレート
６０：ガイド溝
６２：ガイド突起
７０：遠投ノズル
８０：ゴムベロ
８２：切込
８４：リングプレート
【図１】
0006443923.tif 000002
【図２】
0006443923.tif 000003
【図３】
0006443923.tif 000004
【図４】
0006443923.tif 000005
【図５】
0006443923.tif 000006
【図６】
0006443923.tif 000007
【図７】
0006443923.tif 000008
【図８】
0006443923.tif 000009
【図９】
0006443923.tif 000010
【図１０】
0006443923.tif 000011